(57)【特許請求の範囲】
【請求項１】
木粉、樹脂及び顔料を含む表皮成形材料を共押出機で溶融混合し、主押出機先端に取り付けられた金型に供給し、該金型は基材用ダイスと表皮用ダイスからなり、主押出機から供給される基材成形材料は基材用ダイスで成形されると共に、共押出機から供給される表皮成形材料は表皮用ダイスで基材表面に積層成形され、上記基材表面に積層形成される表皮成形材料により木目模様を得るための表皮木目模様形成のダイス構造において、
上記表皮用ダイスの表皮形成材料入口部から主流路を設け、この主流路から導入路を分岐させて設け、この分岐した導入路によって囲繞される区画部に該導入路より流路深さを浅くし略面一状とした溜り部を設け、この溜り部に通じ上記導入路に面しない側に該溜り部より流路深さを浅くした分配路を設け、該分配路から通じ成形品表皮層厚さ相当に流路深さを調整した表皮層形成部を設けることによって基材表面に表皮成形材料を積層成形することを特徴とする表皮木目模様形成のダイス構造。
【請求項２】
上記表皮用ダイスの表皮樹脂流路の前後面の一面を平面状に形成すると共に、他面を主流路から実質的に段差及び／又は傾斜を有して流路深さを順次浅くするように形成してなることを特徴とする請求項１記載の表皮木目模様形成のダイス構造。
【請求項３】
上記溜り部から通じる上記分配路において、その流路の深さを溜り部から表皮層成形部にかけて徐々に浅くする傾斜分配路を設けることを特徴とする請求項１記載の表皮木目模様形成のダイス構造。
【請求項４】
上記傾斜分配路の間隔を３〜８ｍｍとし、その幅を２〜４mmとしたことを特徴とする請求項３記載の表皮木目模様形成のダイス構造。
【請求項５】
上記傾斜分配路の間隔を１５〜２５ｍｍとし、その幅を２〜４mmとしたことを特徴とする請求項３記載の表皮木目模様形成のダイス構造。
【発明の詳細な説明】
【０００１】
【発明の属する技術分野】
本発明は、樹脂押出成形品のダイス構造に関し、特には、窓サッシ用の枠材や框材等の建材に好適な木目調の樹脂押出成形品に対する表皮木目模様形成のダイス構造に関する。
【０００２】
【従来の技術】
近年、窓サッシ用の枠材や框材等の建材の外表面に、柾目模様や板目模様からなる木目調の模様が形成されることがある。従来、このような木目調の模様は、モールディング状の押出成形品の表面に、木目模様が印刷された塩化ビニールフィルム等を貼着することにより形成されていたが、近年においては、耐候性に優れた木粉や顔料入り硬質押出成形用樹脂材料が開発され、かかる木目模様を有する押出成形品が窓サッシ用の建材として多く利用されている。
【０００３】
上記木粉や顔料入り硬質押出成形用樹脂材料は、色調、流動特性や溶融温度などに異なった性質を有する顔料や樹脂材料を少なくとも二種以上混合し、上記樹脂材料の色調差や流動性が現れるように一台の押出機で同時に混練し押し出すことによって木目模様が表される。しかるに、上記木粉入り硬質押出成形用樹脂材料は、従来の塩化ビニールフィルム等と比較して非常に高価であるため、上記押出成形品である基礎建材を塩化ビニールなどの安価な樹脂材料で成形し、この基礎建材の表皮を上記木粉入り硬質押出成形用樹脂材料で構成するようにして、上記基礎建材の表面が上記表皮で被覆されるように二層押出を行うことが多い。
【０００４】
このような従来技術として、特許第２８６７２４４号、特開平１１−１０６９９号等の木粉入り硬質押出成形法が存在する。
そこで、これらの従来技術としての木粉入り硬質押出成形装置は、芯材押出装置において、芯材押出機の先端に芯材用ダイスを介して製品金型が取り付けられており、表皮押出装置においては、表皮押出機の先端に表皮用ダイスが取り付けられ、この表皮用ダイスを介して表皮押出機が上記金型に連結される構成が一般的に採用されている。
【０００５】
そして、上記特許第２８６７２４４号における木粉入り硬質押出成形法は、図７に示すように、木目模様を形成する手段として、溶融樹脂流路に軟化溶融樹脂の流れを分配する複数の仕切りを、木目模様のデザイン設計に従って等分の配置又は非等分の配置に設けて成形し、その成形結果の一態様として、柾目模様の樹脂被覆成形品あるいは木目模様の樹脂被覆成形品を得るようにしている。
【０００６】
上記図７は、押出成形機に適用されるダイスの展開図を示したもので、ダイスヘッドに続く湯道２は、二つの流路３ａ、３ｂをＢ１，Ｂ２方向に分岐し、これを更に四つに分岐させると共に、これらを更に１６等分に等分する配置として複数の仕切り４、４を設けて樹脂の流れを１６等分に分配した流路Ｂ，Ｂを設ける構成としてある。このように構成することによって、木目模様樹脂の被覆層厚さを均一にすると共に、木目模様の美麗さを作り出すようにすることを、その目的としている。
【０００７】
しかしながら、上記従来の成形法によっても、木粉を混合した軟化溶融流動性が良好な合成樹脂は、流動圧力や軟化温度や軟化溶融温度にバラツキが生じることから、形成する木目模様などに応じて樹脂材料の混練の程度を調整しなければならず、押出機やダイスの構造および押出条件などの環境設定に煩わしい手間が掛かっていた。また、上記方法によって得られる押出成形品であっても、形成される模様が本来の自然な木目模様を醸し出すにはいずれも十分ではなかった。
【０００８】
【発明が解決しようとする課題】
本発明は上記問題に鑑みてなされたもので、本発明は、木粉や顔料等を含む木目調樹脂材料を押し出す際に、押し出し圧力を流路の分配等によって調整することで、均一で美麗な木目模様を製品表面に形成することのできる表皮木目模様の形成方法及びそのダイス構造を提供しようとするものである。
【０００９】
【課題を解決するための手段】
上記の課題を解決するための手段として、請求項１の発明に係る本発明の表皮木目模様形成のダイス構造は、木粉、樹脂及び顔料を含む表皮成形材料を共押出機で溶融混合し、主押出機先端に取り付けられた金型に供給し、該金型は基材用ダイスと表皮用ダイスからなり、主押出機から供給される基材成形材料は基材用ダイスで成形されると共に、共押出機から供給される表皮成形材料は表皮用ダイスで基材表面に積層成形され、上記基材表面に積層形成される表皮成形材料により木目模様を得るためのダイス構造において、
上記表皮用ダイスの表皮形成材料入口部から主流路を設け、この主流路から導入路を分岐させて設け、この分岐した導入路によって囲繞される区画部に該導入路より流路深さを浅くし略面一状とした溜り部を設け、この溜り部に通じ上記導入路に面しない側に該溜り部より流路深さを浅くした分配路を設け、該分配路から通じ成形品表皮層厚さ相当に流路深さを調整した表皮層形成部を設けることによって基材表面に表皮成形材料を積層成形することを特徴とする。
【００１０】
請求項２に係る本発明の表皮木目模様形成のダイス構造は、請求項１の発明において、上記表皮用ダイスの表皮樹脂流路の前後面の一面を平面状に形成すると共に、他面を主流路から実質的に段差及び／又は傾斜を有して流路深さを順次浅くするように形成してなることを特徴とする。
請求項３に係る本発明の表皮木目模様形成のダイス構造は、請求項１の発明において、上記溜り部から通じる上記分配路において、その流路の深さを溜り部から表皮層成形部にかけて徐々に浅くする傾斜分配路を設けることを特徴とする。
【００１１】
請求項４に係る本発明の表皮木目模様形成のダイス構造は、請求項３の発明において、上記傾斜分配路の間隔を３〜８ｍｍとし、その幅を２〜４ｍｍとしたことを特徴とする。
請求項５に係る本発明の表皮木目模様形成のダイス構造は、請求項３の発明において、上記傾斜分配路の間隔を１５〜２５ｍｍとし、その幅を２〜４ｍｍとしたことを特徴とする。
【００１２】
【発明の実施の形態】
以下添付の図面に従ってこの発明を詳細に説明する。図１は本発明のダイス構造が設けられた押出成形装置の要部を示す断面図、図２は表皮用ダイスを表皮樹脂流路に沿って切断した状態を示す断面図、図３は図２の拡大断面図で、（ａ）はＡ−Ａ断面図、（ｂ）はＡ−Ｂ断面図、図４は図２の第１の実施形態を部分変更した第２の実施形態における表皮用ダイスを表皮樹脂流路の正面図、図５は第３の実施形態における表皮用ダイスを表皮樹脂流路の正面図、図６は図５の拡大断面図で、（ａ）はＡ−Ａ断面図、（ｂ）はＡ−Ｂ断面図である。
【００１３】
図１は本発明のダイス構造が設けられた押出成形装置の要部を示す断面図である。上記図１において、本発明に係る表皮用ダイス構造が設けられた押出成形装置は、木粉、樹脂及び顔料を含む表皮成形材料を共押出機２０で溶融混合し、主押出機１０の先端に取り付けられた金型に供給し、この金型は基材用ダイス３０と表皮用ダイス４０からなり、主押出機１０から供給される基材成形材料により基材用ダイス３０にて成形品５０が成形されると共に、共押出機２０から供給される表皮成形材料は表皮用ダイス４０で基材表面に表皮層６０を積層成形するようにして窓サッシ等の枠材や框材等の成形品５０を成形するように構成される。ここに、主押出機１０および共押出機２０には、一般的な公知の押出機が任意に使用される。また、表皮成形材料として用いる樹脂材料としては、塩化ビニルやアクリル樹脂が好適である。
【００１４】
上記基材用ダイス３０は、基材の主押出機１０によって溶融されて押し出された基材用樹脂材料の流れを適宜に整えて金型に送るためのもので、基材樹脂流路３１を有し、主押出機１０の先端に取り付けられ、この基材樹脂流路３１の入口３２は上記主押出機１０のノズルに通じており、また、基材樹脂流路３１の出口３３は表皮用ダイス４０に連通している。
【００１５】
上記金型は、基材用ダイス３０と表皮用ダイス４０からなり、そしてこの基材用ダイス３０の出口３３側に表皮用ダイス４０が取り付けられている。この表皮用ダイス４０には基材樹脂入口４０ａと、製品断面形状に形成された成形品出口４０ｂとが形成され、これら基材樹脂入口４０ａと成形品出口４０ｂを連通する樹脂流路４２が形成されている。
【００１６】
そして、この金型を構成する表皮用ダイス４０は樹脂流路２１を介して共押出機２０に接続される。また表皮用ダイス４０には樹脂流路４２が形成され、この樹脂流路４２が上記共押出機２０の樹脂流路２１に入口部４１を介して一端が通じ、他端が成形品出口４０ｂに通じている。
この表皮用ダイス４０内には、上記共押出機２０によって溶融混練された木目調表皮樹脂が、表皮樹脂の入口部４１を介して樹脂流路４２内に押し出される。
上記表皮用ダイス４０の樹脂流路４２は、基本的に表皮形成材料の入口部４１から主流路４３と、これより分岐した導入路４４と、これより連通する溜り部４５と、この溜り部４５から通じる分配路４６と、該分配路４６から通じる表皮層形成部４７を設けることによって構成される。
【００１７】
上記表皮用ダイス４０の成形品出口４０ｂに通じる表皮層形成部４７は、表皮樹脂流路４２に対し、主流路４３から漸次、そして最終的に急に狭くなる形状とされる。しかも、上記分配路４６と表皮層形成部４７との境界部の片側の壁面には、基本的に樹脂流れを規制する段部が設けられており、この狭まりは、上記表皮層形成部４７を流出する木目調表皮樹脂の一側部分の流速を遅くするものである。
【００１８】
次ぎに、本発明に用いるダイス構造について詳細に説明する。上記図２に示す表皮用ダイス４０において、表皮樹脂流路４２は表皮形成材料入口部４１から一本の主流路４３を設け、この主流路４３から導入路４４を拡張的に分岐させて設け、この分岐した導入路４４によって囲繞される区画部に該導入路４４より流路深さを浅くし略面一状とした溜り部４５を設け、この溜り部４５に通じ上記導入路４４に面しない側に該溜り部４５より流路深さを浅くした分配路４６を設け、該分配路４６から通じ成形品表皮層厚さ相当に流路深さを調整した表皮層形成部４７を設けることによって成形品５０である基材表面に木目模様を呈した表皮成形材料６０を積層成形するようにしてある。
上記表皮層形成部４７は、成形品５０の対向面の一面を樹脂積層する構成からなっている。すなわち、この表皮層形成部４７の横幅は、対向する導入路４４の側辺全長からなっている。
【００１９】
上記表皮用ダイス４０の表皮樹脂流路４２は、基本的にその前後面の背面を平面状に形成すると共に、前面を主流路４３から実質的に段差及び／又は傾斜を有して流路深さを順次浅くなるように形成してなる。
上記溜り部４５の形態は、該部における溶融混合した表皮成形材料の流入及び流出配分圧力を均一化するために、主流路４３から溜り部４５に通じる導入路４４を山型状で均等・拡張的に分岐させることにより、導入路４４によって囲繞される区画部に三角形状を呈するようにして設けてある。
このような拡張的に分岐させる構成によって、上記溜り部４５には木目模様を有する表皮樹脂が中心部から両側にかけて均一な状態で分配されることとなり、また均一分配された状態で更に分配路４６から表皮層形成部４７へ分流されるものである。
【００２０】
上記溜り部４５から通じる上記分配路４６，４６において、その流路の深さを溜り部４５から表皮層成形部４７にかけて徐々に浅くする傾斜分配路４９を設けるようにしてある。
上記構成から、溜り部４５に均等圧にて停溜した表皮樹脂材料は、各分配路４６，４６から均等圧にて表皮層成形部４７へ押し出されるもので、このとき分配路４６は流路深さを浅く調整されているため、ここでは流れ難さを伴うこととなり、また上記傾斜分配路４９においては段差のような引っかかりがないことから、ここでは流れ易さを伴い、その結果、各傾斜分配路４９を境にして、それぞれの分配路４６から木目模様を発生させた表皮樹脂が押し出されるものである。
【００２１】
また、上記溜り部４５は分岐した導入路４４によって囲繞される区画部に該導入路４４より流路深さを浅くし面一状として形成されており、そのため常時一定の厚みを有する表皮樹脂が分配路４６に供給されることになる。
しかしながら、この溜り部４５の流路形態を導入路４４より流路深さを浅くすると共に、更に暫時浅くして全体的に傾斜させた面一状とすることもできる。このような傾斜を持たせることによって、表皮樹脂の流れを円滑にすることができる。
【００２２】
そして、実施品としてのサッシ材である成形品５０は、一般のサッシ用建材が横幅約８０ｍｍ前後からなるものであるが、本発明は小幅のものを対象とするもので、一例として横幅が約４０ｍｍからなり、そのため上記表皮用ダイス４０の表皮樹脂流路４２の横幅は、約４５ｍｍからなる。そこで、図３に示す拡大断面図に基づいて、樹脂流路４２を構成する主流路４３、溜り部４５、及び傾斜分配路４９等の流路深さＷと間隔Ｔと幅Ｈ（ｍｍ）を以下に示す。ここで流路深さとは、流路を流れる樹脂の厚さを意味し、かつ最終的には表皮成形層の厚さを決定するものである。
【００２３】
ここで、実験によって得られた上記傾斜分配路４９の形態は、その間隔Ｔを３〜８ｍｍとし、その幅Ｈを２〜４ｍｍとすることで、基材表面に均一で美麗な表皮柾目模様を積層成形することができ、また、上記傾斜分配路４９の間隔Ｔを１５〜２５ｍｍとし、その幅Ｈを２〜４ｍｍとしたことで、基材表面に均一で美麗な表皮板目模様を積層成形することができた。
【００２４】
各流路の深さＷは、主流路は（３．５〜４）、導入路は（３〜３．５）、溜り部は（３）、分配路は（１）、表皮層形成部は（０．３）が最も適正な数値であった。しかしながら、上記数値は、あくまで実験による理想数値であるから、これに拘ることなく、これに近似した他の任意の数値を選択しうるものである。
【００２５】
次ぎに、図４は第２の実施形態における表皮用ダイスを表皮樹脂流路の正面図である。上記第１の実施形態の溜り部４５の形態は、主流路４３から溜り部４５に通じる導入路４４を山型状で均等・拡張的に分岐させることにより、導入路４４によって囲繞される区画部に三角形状を呈するように形成してあるが、主流路４３から溜り部４５に通じる導入路４４を山型状で均等・拡張的に分岐させることまでは共通であるが、導入路４４によって囲繞される区画部を更に延出させて五角形状を呈するようにして設けてある。
この例によれば、溜り部４５の面積を大きくすることとなって、該部における溶融混合した表皮成形材料の流入及び流出配分圧力をより一層均一化することができる。なお、この溜り部４５の形態は上記ものに限定されるものではなく、台形状や半円状等の形態を任意に選定できるものである。
【００２６】
次ぎに、図５は第３の実施形態における表皮用ダイスを表皮樹脂流路の正面図、図６は図５のＡ−Ａ断面図、Ａ−Ｂ断面図であり、これら各図に基づいて、本発明の第３の実施形態を説明する。
【００２７】
上記図５に示す第３の実施形態における表皮用ダイス４０においても、表皮樹脂流路４２は表皮形成材料入口部４１から一本の主流路４３を設け、この主流路４３から導入路４４を横水平方向へ拡張的に分岐させて設け、この分岐した導入路４４によって囲繞される長方形状の区画部に該導入路４４より流路深さを浅くし略面一状とした溜り部４５を設け、この溜り部４５に通じ上記導入路４４に面しない側に該溜り部４５より流路深さを浅くした分配路４６を設け、該分配路４６から通じ成形品表皮層厚さ相当に流路深さを調整した表皮層形成部４７を設けることによって成形品５０の表面に木目模様を呈した表皮成形材料６０を積層成形する。
上記導入路４４はコ字形状に分岐され、その区画部に囲繞されて溜り部４５が形成されることから、該溜り部４５も実質的にコ字状に形成されてなる。そして、その内側部に分配路４６に通じて形成される上記表皮層形成部４７は、同様にコ字形状をしてなり、成形品５０の対向面とその両側面の三面を樹脂積層する構成となっている。
【００２８】
上記表皮用ダイス４０の樹脂流路４２は、基本的にその前後面の背面を平面状に形成すると共に、前面を主流路４３から実質的に段差と傾斜を組み合わせて流路深さを順次浅くなるように形成してなる。このように樹脂流路中に傾斜分配路４９を任意の間隔で設けるようにしてある。そして、この傾斜分配路４９の間隔を任意に選択することによって、基材表面に所望の模様からなる美麗な表皮板目模様や柾目模様を積層成形することができるものである。
【００２９】
ここで、第３実施例の特徴は以下のとおりである。
すなわち、上記溜り部４５から通じる上記分配路４６において、その流路の深さを溜り部４５から表皮層成形部４７にかけて徐々に浅くする傾斜分配路４９を等間隔に設けてある。このようにして、溶融混合した表皮成形材料の流路を混錬分配するようにしてある。
【００３０】
また、この実施例においても、溜り部４５における溶融混合した表皮成形材料の流入及び流出配分圧力を均一化するために、主流路４３から溜り部４５に通じる導入路４４はコ字状に形成して三面から表皮樹脂を分配するようにしてある。この構成によって、溜り部４５には木目模様を有する表皮樹脂が均一な状態で分配され、均一分配された状態で更に分配路４６から表皮層形成部４７へ流入される。
【００３１】
そして、溜り部４５に均等圧にて停溜した表皮樹脂材料は、分配路４６から均等圧にて表皮層成形部４７へ押し出されるもので、このとき分配路４６は流路深さを浅く調整されているため、ここでは流れ難さを伴うこととなり、また上記傾斜分配路４９においては段差のような引っかかりがないことから、ここでは流れ易さを伴い、その結果、各傾斜分配路４９を境にして、分配路４６から木目模様を発生させた表皮樹脂が押し出されるものである。
【００３２】
また、美麗な板目模様を表出するには、分配路４６の流路深さを溜まり部４５の流路深さの２０〜５０％にすると共に、段部は前面のみの一方向のみとする必要がある。また、板目模様は上記傾斜分配路４９の間隔を１５〜２５ｍｍ、横幅を２〜４ｍｍとすることが適切である。そして、柾目模様は上記傾斜分配路４９の間隔を３〜８ｍｍ、横幅を２〜４ｍｍとすることが適切である。
【００３３】
次に、本発明のダイス構造を用いた木目調押出成形品の製造方法について説明する。まず上記ダイス構造は、図１に示す製造ラインを有する木目調押出成形装置に好適に用いられる。本例では基材押出機１０および共押出機２０を使用し、ホッパーなどに基材用の樹脂材料を投入し、上記樹脂材料を混練および溶融し、基材用ダイス３０を介して表皮用ダイス４０内に押し出す。そして、上記基材樹脂は、表皮用ダイス４０の樹脂流路４２を通り所定の基材形状に成形される。
【００３４】
一方、図示のホッパー２２から投入された表皮用樹脂材料は、共押出機２０により混練され溶融される。本発明に用いられる表皮用の樹脂材料は、硬質樹脂材料に木粉や顔料が添加された公知の木目調樹脂材料であり、共押出機２０から表皮用ダイス４０へ溶融した樹脂材料が吐出される。その際、押し出された表皮樹脂の表面は溶融が進んで木目模様が消失している場合が多いが、内部側は充分に木目模様が残っている。
【００３５】
溶融状態の木目調表皮樹脂は、表皮用ダイス４０内に入り、上記表皮用ダイス４０の表皮樹脂出口である表皮層形成部４７が樹脂流路４２の主流路４３よりも極端に細くなっており、また絞り込まれた樹脂は一旦溜り部４５に分流され、しかも樹脂流路４２の適所に段部が設けられているため、表皮用樹脂は均一性を有して表皮層形成部４７から排出される。
【００３６】
そこで、樹脂金型である表皮用ダイス４０では、その樹脂流路４２内に基材樹脂が押し出されており、木目調表皮樹脂が基材樹脂表面に積層され、上記基材樹脂と木目調表皮樹脂が一体となり、成形品出口４０ｂから押し出される。押し出された成形品は、冷却水槽などで冷却され所定長に切断され窓サッシ等の枠材や框材としての製品となる。この製品表面には、表面均一で美麗な木目模様が積層形成される。
【００３７】
【発明の効果】
以上説明したように、この発明の製法とダイス構造によれば、表皮用ダイスの表皮樹脂流路に主流路を設け、この主流路から導入路を分岐させて設け、この分岐した導入路によって囲繞される区画部に該導入路より流路深さを浅くし略面一状とした溜り部を設け、この溜り部に通じ上記導入路に面しない側に該溜り部より流路深さを浅くした分配路を設け、該分配路から通じ成形品表皮層厚さ相当に流路深さを調整した表皮層形成部を設けることによって基材表面に木目模様を呈した表皮成形材料を積層することとしているので、表皮樹脂は主流路から導入路を介して絞り込まめれて一旦溜り部に分配されることから、この位置で木目模様の均一化が図られ、更に分配路から流路深さを調整した表皮層形成部が整流化分配されるため、成形品の表面に木目模様を均一で美麗に積層することができる。先に提出した手続補正書に誤記があった為、訂正箇所を補正致します。
【００３８】
また、この発明のダイス構造によれば、樹脂流路の前後面の一面を平面状に形成し、他面を主流路から実質的に段差もしくは傾斜を有して流路深さを順次浅くするように形成してなることから、流路深さを調整した表皮層形成部の整流化がなされて、板目模様と柾目模様の一層均一で美麗な表皮層が成形品に積層されることとなる。
更に、この発明のダイス構造によれば、溜り部から通じる分配路において、その流路の深さを溜り部から表皮層成形部にかけて徐々に浅くする傾斜分配路を設けることから、上記分配路とこの傾斜分配路の組み合わせによって、所望の板目模様と柾目模様を得ることができる。
【図面の簡単な説明】
【図１】本発明のダイス構造が設けられた押出成形装置の要部を示す断面図
【図２】表皮用ダイスを表皮樹脂流路に沿って切断した状態を示す断面図
【図３】図２の拡大断面図で、（ａ）はＡ−Ａ断面図、（ｂ）はＡ−Ｂ断面図
【図４】第２の実施形態における表皮用ダイスを表皮樹脂流路の正面図
【図５】第３の実施形態における表皮用ダイスを表皮樹脂流路の正面図
【図６】図５の拡大断面図で、（ａ）はＡ−Ａ断面図、（ｂ）はＡ−Ｂ断面図
【図７】従来例のダイス構造を示す断面図である。
【符号の説明】
１０  主押出機
２０  共押出機
３０  基材用ダイス
４０  表皮用ダイス
４０ａ  基材樹脂入口
４０ｂ  成形品出口
４１  入口部
４２  表皮樹脂流路
４３  主流路
４４  導入路
４５  溜り部
４６  分配路
４７  表皮層形成部
４９  傾斜分配路
５０  成形品
６０  表皮層
【図１】
0003576907.tif 000002
【図２】
0003576907.tif 000003
【図３】
0003576907.tif 000004
【図４】
0003576907.tif 000005
【図５】
0003576907.tif 000006
【図６】
0003576907.tif 000007
【図７】
0003576907.tif 000008